(57)【特許請求の範囲】
【請求項１】
ハンマーとカラビナの着脱構造であって、
前記ハンマーは、柄の上端部に固定された金属製の左右方向に長い頭部の上面に開口を有する一対の左右方向の中心部の中心から等しい距離離間した取付け穴を形成し、前記一対の取付け穴に略Ｕ字状の係合金具を前記上面との間に隙間が開くように挿入し、前記係合金具を前記頭部に固定した手動工具であり、
前記カラビナは、ほぼＣ型の本体と開閉部を有し、前記開閉部は閉じる方向へ付勢され、その下端部が前記本体のストッパ部に当接して閉じるようになっており、
前記ハンマーが前記カラビナに装着されたときには、前記頭部の左右方向が上下方向になり、前記係合金具の対向する両端部のうち一方が下端部、他方が上端部として、前記下端部が前記本体の前記ストッパ部側の内側部に当接されると共に、前記上端部が前記開閉部の外側に当接された状態にもってこれ、
前記ハンマーを前記カラビナから外す場合には、
上記の当接された状態で、前記上端部が前記開閉部を開く方向に回動されて前記開閉部が開くことにより、前記係合金具が前記カラビナから抜かれることを特徴とする着脱構造。
【請求項２】
請求項１に記載したハンマーとカラビナの着脱構造において、
前記ハンマーの頭部上面の係合金具に対向する部分に凹部が形成されていることを特徴とする着脱構造。
【請求項３】
請求項１または２に記載したハンマーとカラビナの着脱構造において、
前記カラビナは、腰ベルトが挿通されるベルト挿通部に、開閉部の下端部がストッパ部に当接して閉じるように固定されていることを特徴とする着脱構造。
【発明の詳細な説明】
【技術分野】
【０００１】
本発明はハンマーに係り、特に腰ベルトに保持して持ち歩くハンマーに関するものである。
【背景技術】
【０００２】
建設作業員などは腰ベルトを装着し、この腰ベルトに取り付けられたホルダに例えば工具としてのハンマーを保持して持ち歩く。そして、作業を行うときにホルダからハンマーを外すようにしている。この際に片手でハンマーをホルダから外す必要がある。これは例えば、高所において作業を行う場合などは片手を開けておく必要があるからである。
特許文献１に記載された工具ホルダ、釘袋の引掛部（以下、工具ホルダ等という。）は、ハンマーの柄を上方から差し込んで頭部を係止させることで、ハンマーを保持している。
【先行技術文献】
【特許文献】
【０００３】
【特許文献１】特開２０１５−８５４０８号公報
【特許文献２】特開平８−１９７４６２号公報
【発明の概要】
【発明が解決しようとする課題】
【０００４】
しかしながら、上記工具ホルダ等では、柄を上方から差し込み頭部を係止させるだけでハンマーを保持しているため、作業中に屈んだ姿勢からある程度の勢いをつけて立ち上がるなどした場合、柄が工具ホルダ等から上方へ抜けて、ハンマーが落下してしまうおそれがある。作業員が屋根の上などの高所で作業している場合にハンマーが落下すると下方にいる者が危険にさらされることになる。更に、落下したハンマーによって屋根瓦等を破損してしまうこともある。
ハンマーに紐の一端を連結して他端を腰ベルトに繋いでいても、紐がハンマーを持って作業するために必要な長さを有しているため、ハンマーが工具ホルダ等から落下すると屋根瓦等を破損してしまうことに変わりはない。
また、ハンマーの頭部に係合金具を溶接して、腰ベルトに装着したカラビナに係止することも考えられるが、ハンマー使用時における衝撃によって溶接部から破損して係合金具が頭部から外れてしまうおそれがある。
【０００５】
本発明は上記従来の問題点に着目して為されたものであり、腰ベルトに付けたカラビナに対し片手で簡単に着脱でき、しかもカラビナに係止する係合金具が頭部から外れるおそれのないハンマーの提供を、その目的とする。
【課題を解決するための手段】
【０００６】
本発明は上記課題を解決するためになされたものであり、請求項１の発明は、ハンマーとカラビナの着脱構造であって、前記ハンマーは、柄の上端部に固定された金属製の左右方向に長い頭部の上面に開口を有する一対の左右方向の中心部の中心から等しい距離離間した取付け穴を形成し、前記一対の取付け穴に略Ｕ字状の係合金具を前記上面との間に隙間が開くように挿入し、前記係合金具を前記頭部に固定した手動工具であり、前記カラビナは、ほぼＣ型の本体と開閉部を有し、前記開閉部は閉じる方向へ付勢され、その下端部が前記本体のストッパ部に当接して閉じるようになっており、前記ハンマーが前記カラビナに装着されたときには、前記頭部の左右方向が上下方向になり、前記係合金具の対向する両端部のうち一方が下端部、他方が上端部として、前記下端部が前記本体の前記ストッパ部側の内側部に当接されると共に、前記上端部が前記開閉部の外側に当接された状態にもってこれ、前記ハンマーを前記カラビナから外す場合には、上記の当接された状態で、前記上端部が前記開閉部を開く方向に回動されて前記開閉部が開くことにより、前記係合金具が前記カラビナから抜かれることを特徴とする着脱構造である。
【０００７】
請求項２の発明は、請求項１に記載したハンマーとカラビナの着脱構造において、前記ハンマーの頭部上面の係合金具に対向する部分に凹部が形成されていることを特徴とする着脱構造である。
【０００８】
請求項３の発明は、請求項１または２に記載したハンマーとカラビナの着脱構造において、前記カラビナは、腰ベルトが挿通されるベルト挿通部に、開閉部の下端部がストッパ部に当接して閉じるように固定されていることを特徴とする着脱構造である。
【発明の効果】
【００１０】
本発明のハンマーによれば、腰ベルトに付けたカラビナに対し片手で簡単に着脱できる。しかもハンマー使用時において衝撃を受けてもカラビナに係止する係合金具が頭部から外れるおそれがない。
【図面の簡単な説明】
【００１１】
【図１】本発明の第１の実施の形態に係るハンマーを腰ベルトに取り付けたカラビナに係止した状態の斜視図である。
【図２】図１のハンマーの一部拡大分解正面図である。
【図３】図１のハンマーの一部拡大正面図である。
【図４】図１のハンマーをカラビナに装着する方法を説明するための図である。
【図５】図１のハンマーをカラビナから外す方法を説明するための図である。
【図６】図１のハンマーをカラビナから外す方法を説明するための図である。
【図７】図１のハンマーをカラビナから外す方法を説明するための図である。
【図８】図１のハンマーをカラビナから外す方法を説明するための図である。
【図９】第２の実施の形態に係るハンマーの一部拡大正面図である。
【図１０】第３の実施の形態に係るハンマーの係合金具を頭部に取り付ける作業を説明するための一部拡大正面図である。
【図１１】図１０のハンマーの正面図である。
【発明を実施するための形態】
【００１２】
本発明の第１の実施の形態に係るハンマー１を図１から図８にしたがって説明する。
符号３は金属製の柄を示し、この柄３は、上下の端部を残して合成ゴム製のグリップ部５によって覆われている。柄３の下端部には穴６が形成されている。
符号７は金属製の頭部を示し、この頭部７は中央部分がやや膨らんだ略八角柱を為している。頭部７の左右方向の中心部には柄取付け穴９が形成されており、この柄取付け穴９は頭部７の下面中央部に形成された連結筒部１１に連続している。柄３は柄取付け穴９と連結筒部１１に下方から差し込まれて固定されている。
【００１３】
頭部７には上面から下面に貫通する一対の取付け穴としての金具取付け穴１３、１５が形成されている。金具取付け穴１３、１５は丸穴で柄取付け穴９を挟んで備えられている。金具取付け穴１３、１５は頭部７の左右方向の中心から等しい距離離間して配置されている。
【００１４】
符号１７は係合金具を示し、この係合金具１７は金属製で一対の直状部１７ａ、１７ｂと湾曲部１７ｃとから成るＵ字状に形成されている。図２に示すように係合金具１７は金具取付け穴１３、１５に上方から差し込まれており、図３に示すように一対の直状部１７ａ、１７ｂは金具取付け穴１３、１５の上側の開口１３ａ、１５ａの周辺部並びに下側の開口１３ｂ、１５ｂの周辺部と溶接されて、溶接部１６が形成されている。すなわち、係合金具１７は頭部７と合計４箇所において溶接されている。
また、係合金具１７の湾曲部１７ｃと頭部７の上面との間には隙間があいており、中空部１９が形成されている。
なお、穴６には紐８の一端部が連結された取付けリング１０が取り付けられており、紐８の他端部は腰ベルト２３に連結されている。紐８はハンマー１を用いて作業をする上で支障のない長さ寸法を有している。
【００１５】
次に、このハンマー１をカラビナ２１に着脱する方法を説明する。
カラビナ２１はベルト挿通部２２に固定され、このベルト挿通部２２に腰ベルト２３が挿通されており、この腰ベルト２３を作業員が装着する。
カラビナ２１はほぼＣ型の本体２１ａに開閉部２１ｂを有し、この開閉部２１ｂは図示しないバネによって閉じる方向へ付勢されており、開閉部２１ｂは、その下端部が本体２１ａのストッパ部２１ｃに当接して閉じるようになっている。
【００１６】
ハンマー１をカラビナ２１に装着させる場合には、図４に示すように柄３のグリップ部５を片手に持ち、係合金具１７によって開閉部２１ｂを押して開く。そして、開閉部２１ｂを押しながら、係合金具１７を本体２１ａに通す。開閉部２１ｂは閉じて、その下端部がストッパ部２１ｃに当接し、カラビナ２１が輪状になる。
ハンマー１の柄３を持つ手を離せば、係合金具１７はカラビナ２１の本体２１ａの内側下部へ移動し、図１に示すようにハンマー１がカラビナ２１によって保持される。
このようにハンマー１は係合金具１７がカラビナ２１に係合することで保持されているので、作業中に屈んだ姿勢からある程度の勢いをつけて立ち上がるなどした場合でも、ハンマー１がカラビナ２１から外れることはない。従って、ハンマー１が落下するのを完全に防止することが可能となる。
【００１７】
ハンマー１をカラビナ２１から外す場合には、柄３のグリップ部５を片手で持ち、図５に示すように頭部７を立てるようにして、係合金具１７の下端部を本体２１ａの開閉部２１ｂ側の下方内側部に当接させると共に、係合金具１７の上端部を開閉部２１ｂの外側に当接させる。そして、柄３を図５、図６において時計回りの方向へ回動させ、係合金具１７によって開閉部２１ｂを押して開く。開閉部２１ｂを開いたままの状態で図７に示すように係合金具１７を図において左方向へ移動させ、図８に示すように係合金具１７を抜く。これにより、ハンマー１をカラビナ２１から外す。
このように、ハンマー１は腰ベルト２３に付けたカラビナ２１に対し片手で簡単に着脱することができる。
また、係合金具１７は金具取付け穴１３、１５に上方から差し込まれて、頭部７と合計４箇所において溶接されているので、ハンマー１を使用して頭部７に衝撃が加わっても、係合金具１７が頭部７から外れるのを防止することが可能である。
【００１８】
図９に第２の実施の形態に係るハンマー３１を示す。
このハンマー３１は頭部３７に凹部３７ａが形成され、係合金具３６の上下方向の寸法が小さい点を除き、上記した第１の実施の形態に係るハンマー１と同じ構成部分については上記第１の実施の形態と同じ符号を付して説明を省略し、異なる部分についてのみ説明する。第３の実施の形態についても同様とする。
ハンマー３１は、頭部３７の上面の係合金具３６に対向する部分に凹部３７ａが形成され、係合金具３６の上下方向の寸法が小さくなっている。従って、中空部３９のサイズを第１の実施の形態に係るハンマー１の中空部１９と略同様に維持したまま、係合金具３６の頭部３７の上面から突出する長さ（高さ寸法）を低く抑えることができる。従って、ハンマー３１を使用する際に係合金具３６が邪魔になるのを完全に防止することが可能となる。
【００１９】
図１０、図１１に第３の実施の形態に係るハンマー４１を示す。
一対の金具取付け穴４３、４５は有底であり、係合金具４７の一対の直状部４７ａ、４７ｂは第１の実施の形態に係るハンマー１の係合金具１７の湾曲部１７ｃに連続して形成された直状部１７ａ、１７ｂより短寸法に設定されている。
このハンマー４１では直状部４７ａ、４７ｂが金具取付け穴４３、４５の内周面に接着固定されている。すなわち、金具取付け穴４３、４５に接着剤を流し込み、直状部４７ａ、４７ｂを挿入することで、直状部４７ａ、４７ｂは金具取付け穴４３、４５の内周面に対し接着剤を介して固定されている。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、ハンマーの頭部の一方側の端部に釘抜き工具部等を備えたものでも、本発明を適用できるのは勿論である。
また、上記実施の形態で係合金具としてＵ字状のものを示したが、係合金具は略Ｕ字状のものであればよく、直状部と湾曲部とが直角に曲げられている形状や、Ｖ字状に近い形状であってもよい。すなわち、係合金具は頭部の上面との間に中空部が形成される形状であればよい。
【産業上の利用可能性】
【００２１】
本発明はハンマー製造業において利用可能性を具備し、本発明のハンマーによれば、腰ベルトに付けたカラビナに対し片手で簡単に着脱できる。しかもハンマー使用時において衝撃を受けてもカラビナに係止する係合金具が頭部から外れるおそれがなくなる。
【符号の説明】
【００２２】
１…ハンマー    ３…柄            ５…グリップ部              ６…穴
７…頭部        ８…紐            ９…柄取付け穴            １０…取付けリング
１１…連結筒部              １３、１５…金具取付け穴          １６…溶接部
１７…係合金具                    １７ａ、１７ｂ…係合金具の直状部
１７ｃ…係合金具の湾曲部          １９…中空部                ２１…カラビナ
２１ａ…カラビナの本体            ２１ｂ…カラビナの開閉部
２１ｃ…カラビナのストッパ部      ２２…ベルト挿通部          ２３…腰ベルト
３１…ハンマー                    ３６…係合金具              ３７…頭部
３７ａ…頭部の凹部                ３９…中空部                ４１…ハンマー
４３、４５…金具取付け穴          ４７…係合金具
４７ａ、４７ｂ…係合金具の直状部  ４７ｃ…係合金具の湾曲部
【図１】
0006430984.tif 000002
【図２】
0006430984.tif 000003
【図３】
0006430984.tif 000004
【図４】
0006430984.tif 000005
【図５】
0006430984.tif 000006
【図６】
0006430984.tif 000007
【図７】
0006430984.tif 000008
【図８】
0006430984.tif 000009
【図９】
0006430984.tif 000010
【図１０】
0006430984.tif 000011
【図１１】
0006430984.tif 000012